(57)【特許請求の範囲】
【請求項１】
枠体の下枠が、浴室側の床面および脱衣室側の床面とほぼ段差なく配設されると共に、
前記下枠と前記扉体との間に介設した浴室側の一次止水ラインを構成する第１シール部材と、脱衣室側の二次止水ラインを構成する第２シール部材と、前記下枠と前記扉体との間において前記第１シール部材および前記第２シール部材間に構成した止水空間と、前記下枠に形成され連通穴を介して前記止水空間に連通する浴室側の中空部と、前記下枠に形成され空気口を介して前記浴室側の中空部に連通すると共に開放口を介して前記脱衣室側に開放された脱衣室側の中空部と、を備え、
前記連通穴、前記浴室側の中空部、前記空気穴、前記脱衣室側の中空部および前記開放口により、前記止水空間と前記脱衣室とを連通する下枠側エアー流路を構成した浴室建具のシール構造において、
前記浴室側の中空部の下側には、前記連通穴を介して前記止水空間の排水が流入する排水管が接続され、
前記排水管の流入口の上側に位置して前記浴室側の中空部の底部には、前記止水空間からの排水の前記排水管への流入を許容する整流部材が着座し、
前記整流部材は、前記排水管から逆流する排水を前記浴室側の中空部に導くための排水流路と、前記排水の逆流に伴って流入する空気を前記空気穴および前記脱衣室側の中空部を介して前記開放口に導くためのスリット開口とを有していることを特徴とする浴室建具のシール構造。
【請求項２】
前記開放口は、前記下枠の脱衣室側に形成した溝条の溝底に開放されていることを特徴とする請求項１に記載の浴室建具のシール構造。
【請求項３】
前記整流部材は、前記流入口との間にわずかな間隙を存して当該流入口を覆っていることを特徴とする請求項１または２に記載の浴室建具のシール構造。
【請求項４】
請求項１ないし３のいずれかに記載の浴室建具のシール構造を備えると共に、折戸、引戸およびドアのいずれかであることを特徴とする建具。
【発明の詳細な説明】
【０００１】
【発明の属する技術分野】
本発明は、下枠と扉体との間における浴室側および脱衣室側に、それぞれシール部材を介設した浴室建具のシール構造およびこれを備えた建具に関するものである。
【０００２】
【従来の技術】
ユニットバス（浴室）の出入口において、車椅子の身障者や高齢者がつまずくのを防止すべく、浴室建具の下枠と浴室床とを面一にしてバリアフリー構造にすると、浴室床の排水が下枠を越えて脱衣室側に漏水し易くなる不具合が生ずる。かかる不具合を解消すべく、扉体と下枠との間の見込み方向において、浴室側と脱衣室側にそれぞれシール部材を介設し、両シール部材間に止水空間を構成した浴室建具が知られている。
また、下枠に、浴室側のシール部材を越えて止水空間に流入した排水を、その下部から排出トラップ側に導く排水管を設けたものが知られている。
【０００３】
このような２つのシール部材により止水空間を構成した浴室建具では、浴槽側から勢い良く流れてきた排水が、浴室側のシール部材を越えて止水空間内に流入（漏水）すると、密閉空間である止水空間では、流入した排水の量に相当する分、内部の空気が圧縮され、圧力が上昇することになる。このため、脈動的に流れてくる次の排水が、再度止水空間内に流入すると、その内部に溜まっていた排水が、圧縮された空気と共に脱衣室側のシール部材を越えて、脱衣室側に漏水してしまう問題があった。
また、排水管を設けたものにあっては、本管側（排水トラップ側）が満水になって排水が下枠側に逆流すると、排水管を介して止水空間内の空気が圧縮され、この場合も、止水空間内に貯留していた排水が、圧縮された空気と共に脱衣室側のシール部材を越えて漏水してしまう問題があった。
【０００４】
本発明は、２つのシール部材間に構成した止水空間の空気を外部に逃がすことで、扉体と枠体の下枠との間を確実に止水することができる浴室建具のシール構造およびこれを備えた建具を提供することをその目的としている。
【０００５】
【課題を解決するための手段】
本発明の浴室建具のシール構造は、枠体の下枠が、浴室側の床面および脱衣室側の床面とほぼ段差なく配設されると共に、下枠と扉体との間に介設した浴室側の一次止水ラインを構成する第１シール部材と、脱衣室側の二次止水ラインを構成する第２シール部材と、下枠と扉体との間において第１シール部材および第２シール部材間に構成した止水空間と、下枠に形成され連通穴を介して止水空間に連通する浴室側の中空部と、下枠に形成され空気口を介して浴室側の中空部に連通すると共に開放口を介して脱衣室側に開放された脱衣室側の中空部と、を備え、連通穴、浴室側の中空部、空気穴、脱衣室側の中空部および開放口により、止水空間と脱衣室とを連通する下枠側エアー流路を構成した浴室建具のシール構造において、浴室側の中空部の下側には、連通穴を介して止水空間の排水が流入する排水管が接続され、排水管の流入口の上側に位置して浴室側の中空部の底部には、止水空間からの排水の排水管への流入を許容する整流部材が着座し、整流部材は、排水管から逆流する排水を浴室側の中空部に導くための排水流路と、排水の逆流に伴って流入する空気を空気穴および脱衣室側の中空部を介して開放口に導くためのスリット開口とを有していることを特徴とする。
【０００６】
この構成によれば、浴槽側から多量の排水が流れてきて、第１シール部材を越えて流入した排水が止水空間に漏入した場合であっても、エアー抜き手段により止水空間の空気を外部に逃がすことができるため、止水空間内の空気が圧縮されることがない。すなわち、止水空間内に繰り返し排水が流入しても、エアー抜き手段により常に止水空間と外部との空気圧を同一に保つことができるため、止水空間の圧力変動に基づく脱衣室側への漏水を、確実に防止することができる。
また、エアー抜き手段を構成するための部材を特別に用いなくとも、下枠に中空部を形成してこれを脱衣室側に開放することで、止水空間の圧力の上昇を押さえる下枠側エアー流路を構成することができる。すなわち、簡単な構造でエアー抜き手段を構成することができる。
さらに、浴室側の中空部の下側に排水管が接続されていることで、止水空間に排水が漏水しても、これを排水管を介して排水トラップ側に円滑に導くことができる。また、排水トラップ側から排水管に排水が逆流することがあっても、エアー抜き手段の一部により、排水管に連なる止水空間内の空気を脱衣室に逃がすことができる。すなわち、排水管および止水空間内の圧縮された空気は、下枠側エアー流路によって脱衣室に逃がすことができるため、止水空間が正圧となることがない。したがって、排水管の満水（逆流）に基づく、脱衣室側への漏水を確実に防止することができる。
しかも、整流部材により、排水管からの逆流排水に伴って浴室側の中空部内に空気が流入しても、これを開放口側に円滑に導くことができる。したがって、両中空部は元より止水空間が正圧となることがなく、脱衣室側への漏水を確実に防止することができる。
【００１５】
この場合、前記開放口は、下枠の脱衣室側に形成した溝条の溝底に開放されていることが好ましい。
【００１６】
この構成によれば、下枠側エアー流路の脱衣室側の開放口が、溝条の溝底に開放しているため、開放口が目立つことがなく、且つ扉体の開閉に伴って滴下した水滴などを、溝で受けてこれを集水することができる。
【００１９】
これらの場合、整流部材は、流入口との間にわずかな間隙を存して流入口を覆っていることが、好ましい。
【００２０】
この構成によれば、排水管から下枠の中空部ないに逆流してきた排水を整流部材が邪魔板となって阻止し、その流れを中空部内の見付け方向に導くことになる。したがって、逆流排水が下枠側エアー流路の開放口から脱衣室側に漏出するのを、有効に防止することができる。
【００２１】
本発明の浴室建具は、上記に記載の各浴室建具のシール構造を備えると共に、折戸、引戸およびドアのいずれかであることを特徴とする。
【００２２】
この構成によれば、浴室内の排水を、扉体と枠体の下枠との間で確実に止水することができる建具として、折戸、引戸およびドアを提供することができる。
【００２３】
【発明の実施の形態】
以下、添付図面を参照して、本発明の一実施形態に係る浴室建具のシール構造およびこれを備えた建具を浴室の出入り口に配設した場合について説明する。この浴室は、脱衣室との間に段差を無くしたバリアフリー設計のユニットバスで構成されており、浴室の防水パン（浴室床）と、建具の下枠と、脱衣室の木質床とはほぼ面一に、すなわち段差が生じないように配設されている。
【００２４】
図１の縦断面図および図２の横断面図に示すように、浴室Ａの出入口には、枠体２に左扉体３ａおよび右扉体３ｂから成る扉体３を組み込んで構成され、左扉体３ａと右扉体３ｂとは、突き合わせた状態で、連結部材４を介して中折れ自在に連結された浴室用折戸１が設けられている。この場合、浴室用折戸１は、左右の両扉体３ａ，３ｂが脱衣室Ｂ側に展開されることにより閉塞する。
【００２５】
枠体２は、アルミニウムの形材等で構成された上枠１１、下枠１２および両縦枠１３，１３を枠組みして成り、浴室Ａの開口部に取り付けられている。上枠１１は、浴室Ａ側が立ち上がっていて全体として略「Ｌ」字状に形成され、水平部分の中間位置には、浴室Ａ側に両扉体３ａ，３ｂの開閉を案内する上ガイドレール１５が、脱衣室Ｂ側に上枠シール取付部１６が、それぞれ一体に垂設されている。そして、上枠シール取付部１６には、扉体３に向かって延びる上シール部材１７が取り付けられている。
【００２６】
同様に、下枠１２は、下枠中空部１９と、下枠中空部１９の上端からクランク状に脱衣室Ｂ側に延びる下枠見切り部２０と、下枠中空部１９の上端に立設した下ガイドレール２１と、下ガイドレール２１から浴室Ａ側に延設されるパン連結部２２とで、一体に形成されている。下枠見切り部２０の立上げ部分には、脱衣室側シール取付部２３が形成され、脱衣室側シール取付部２３には、扉体３に向かって延びる先端二股形状の脱衣室側シール部材（第２シール部材）２４が取り付けられている。
【００２７】
左右の各縦枠１３は、浴室Ａ側が額縁状に折り曲げられていて全体として略「Ｌ」字状に形成され、脱衣室Ｂ側の中間部分には、内側に向かって縦枠シール取付部２６が直角に延設されている。また、縦枠シール取付部２６には、扉体３に向かって延びる縦シール部材２７が取り付けられている。そして、これら上シール部材１７、脱衣室側シール部材２４および両縦シール部材２７，２７により、左右両扉体３ａ，３ｂと枠体２との間が四周に亘ってシールされている。
【００２８】
左右の各扉体３ａ，３ｂは、アルミニウムの形材等で構成された上框３１、下框３２および中桟３３に、縦框３４および連結縦框３５とを框組みすると共に、これに樹脂製の上下のパネル体３６，３６を嵌め込んで構成されている。中桟３３には、脱衣室Ｂ側に引手部３８が一体に形成され、浴室Ａ側に引手を兼ねるタオル掛け３９が取り付けられている。連結縦框３５にはラッチ機構４１が、右扉体３ｂの連結縦框３５には閉塞ロック機構４２が組み込まれている。さらに、各扉体３ａ，３ｂの縦框３４には、後述する上スライダ４９ａを上ガイドレール１５から離脱させる離脱機構４３が組み込まれている。
【００２９】
各扉体３ａ，３ｂの縦框３３には、上下のピンヒンジ（グラビティヒンジ）４８，４８を介して上スライダ４９ａおよび下スライダ４９ｂがそれぞれ取り付けられ、各扉体３ａ，３ｂはこの上スライダ４９ａおよび下スライダ４９ｂにより、上ガイドレール１５および下ガイドレール２１に、それぞれスライド自在に支持されている。ただし、右扉体３ｂの上下両スライダ４９ａ，４９ｂは、上下両ガイドレール１５，２１に固定されている。これにより、浴室用折戸１は、左扉体３ａと右扉体３ｂとが枠体２の幅いっぱいに横に並んだ閉扉位置と、左扉体３ａに右扉体３ｂを重ねるように折り畳んだ開扉位置との間で、開閉される。
【００３０】
一方、各扉体３ａ，３ｂの下框３２は、最下部に位置する下框中空部５１と、下框中空部５１の上側に連なり換気ガラリを形成したガラリ形成部５２とで、一体に形成されている。浴室Ａと脱衣室Ｂとは、この換気ガラリにより連通しており、図示しないが、ガラリ形成部５２に組み込んだダンパーにより、換気ガラリを開閉できるようになっている。
【００３１】
図３に示すように、下框中空部５１には、浴室側壁３２ａと脱衣室側壁３２ｂとを連結するように設けた上下２つのリブ部片５３，５４が一体に形成され、これら２つのリブ部片５３，５４を隔壁として、下框中空部５１は、上側から第１中空部５１ａ、第２中空部５１ｂおよび第３中空部５１ｃに仕切られている。なお、第３中空部５１ｃは下端が下枠側に開放されている。
【００３２】
下框中空部５１を画成する浴室側壁３２ａ３２ａの下端部には、略円形断面の浴室側シール取付部６１が一体に形成され、この浴室側シール取付部６１には、浴室側シール部材（第１シール部材）４５が斜め内向きに装着されている。同様に、脱衣室側壁３２ｂの下端部には、脱衣室Ｂ側に略クランク状に屈曲したシール接触部６２が一体に形成され、このシール接触部６２には、脱衣室側シール部材（第２シール部材）２４が密接している。なお、浴室側シール部材４５は、左右の扉体３ａ，３ｂにそれぞれ装着されているが、その左扉体３ａと右扉体３ｂの連結部分には中間シール部材が設けられている（図示省略）。そして、この中間シール部材の両側端部が左右の両浴室側シール部材４５に密接することで、浴室側シール部材４５の見付け方向の連続性が維持されている。
【００３３】
すなわち、扉体３を閉塞すると、下框３２に装着した浴室側シール部材４５が下枠１２の下ガイドレール２１の側面に密接すると共に、下枠１２に装着した脱衣室側シール部材２４が下框３２のシール接触部６２に密接する。これにより、浴室Ａ側の止水ライン（一次止水ライン）を構成する浴室側シール部材４５と、脱衣室Ｂ側の止水ライン（二次止水ライン）を構成する脱衣室側シール部材２４との間に、止水空間Ｓが構成されている。例えば、浴室側シール部材４５の密接不良等により浴室Ａ側の排水が止水空間Ｓに漏水しても、この止水空間Ｓに溜まるようになっている。
【００３４】
一方、上記下框中空部５１の第２リブ部片５４には、第３中空部５１ｃと第２中空部５１ｂとを連通する連通穴５５が、見付け方向に複数個形成されている。また、第２中空部５１ｂの上端部に位置して、脱衣室側壁３２ｂには、脱衣室Ｂ（外部）に開放する空気抜き穴５６が複数個形成されている。これにより、上記の止水空間Ｓは、下端を開放した第３中空部５１ｃ、連通穴５５および空気抜き穴５６を介して、脱衣室Ｂに連通している。すなわち、第３中空部５１ｃ、連通穴５５、第２中空部５１ｂおよび空気抜き穴５６により、止水空間Ｓと脱衣室Ｂとを連通する扉体側エアー流路（エアー抜き手段）が構成されている。
【００３５】
このような構成では、浴室Ａの床排水は、下ガードレール２１に密接する浴室側シール部材４５で一次止水され、これから漏れた床排水（止水空間Ｓ内の床排水）が脱衣室側シール部材２４で二次止水される。すなわち、通常の排水量であれば、浴室Ａ側からの排水を２段階で止水することにより、脱衣室Ｂ側への漏水を防止することができる。
【００３６】
一方、多量の排水が発生し、その一部が浴室側シール部材４５を越えて止水空間Ｓに漏入した場合でも、止水空間Ｓ内の空気は、連通穴５５や空気抜き穴５６等により構成されるエアー流路を通って外部へ逃げるため、止水空間Ｓ内の空気が圧縮されることがない。すなわち、止水空間Ｓ内に、排水が流入しても、止水空間Ｓと外部との空気圧を同圧に保つことができるため、脈動圧に伴う脱衣室Ｂ側への漏水を防ぐことができる。また、扉体側エアー流路の他端を下框３２の中空部を介して脱衣室Ｂ側に開放しているため、特別な部材を用いなくとも、エアー抜き手段を簡単に構成することができる。また、扉体側エアー流路の他端を脱衣室Ｂ側に開放することで、扉体側エアー流路から排水が漏れ、或いは流入するのを有効に防止することができる。
【００３７】
図４は、第１実施形態の第１変形例を示している。この変形例では、第２リブ部片５４だけでなく、第１リブ部片５３にも、第３中空部と第２中空部とを連通する連通穴５７が形成されている。さらに、第１中空部５１ａの上面のガラリ形成部５２には、その換気通路５２ａに開放されるようにして空気抜き穴５８が形成されている。したがって、この場合、第３中空部５１ｃ、（第２リブ部片に形成された）連通穴５５、第２中空部５１ｂ、（第１リブ部片に形成された）連通穴５７、および空気抜き穴５８により、止水空間Ｓと脱衣室Ｂとを連通する扉体側エアー流路（エアー抜き手段）が構成されている。
【００３８】
この構成によれば、扉体側エアー流路が、浴室Ａと脱衣室Ｂとを連通する換気通路５２ａに開放されているため、扉体側エアー流路の開放口（空気抜き穴５８）が浴室Ａ側や脱衣室Ｂ側に露出することがなく、扉体３の意匠を損なうことがない。また、換気通路５２ａに空気が流れることで、扉体側エアー流路を介して止水空間Ｓ内を負圧気味に保つことができ、両シール部材２４，４５の密着性を高めることができる。
【００３９】
図５は、第１実施形態の第２変形例を示している。この変形例では、下枠１２が、下枠中空部１９と、下枠中空部１９の上端からクランク状に脱衣室Ｂ側に延びる下枠見切り部２０と、下枠中空部１９の浴室Ａ側に形成された脱衣室側シール取付部２３と、下枠中空部１９の底面から延びる平板部２５と、平板部２５から立設した下ガイドレール２１と、下ガイドレール２１から浴室Ａ側に延設されるパン連結部２２とで、一体に形成されている。下枠中空部１９の浴室Ａ側には、止水空間Ｓと下枠中空部１９とを連通する連通穴５５ａが形成されている。さらに、下枠中空部１９の上面には、脱衣室Ｂ（外部）に開放する空気抜き穴５６ａが複数個形成されている。したがって、この場合、止水空間Ｓ、連通穴５５ａ、下枠中空部１９および空気抜き穴５６ａにより、止水空間Ｓと脱衣室Ｂとを連通する下枠側エアー流路（エアー抜き手段）が構成されている。
【００４０】
この構成によれば、下枠１２に中空部を形成してこれを脱衣室Ｂ側に開放しているため、エアー抜き手段を構成するための部材を特別に用いなくとも、止水空間Ｓの圧力の上昇を押さえる下枠側エアー流路を構成することができる。すなわち、簡単な構造でエアー抜き手段を構成することができる。なお、この変形例では、下枠側エアー流路を構成するようにしているため、扉体側エアー流路を構成する連通穴５５および空気抜き穴５６を省略してもよい。
【００４１】
次に、他の複数の実施形態について説明する。以降の実施形態では、本発明の要部となる下枠廻りのシール構造についてのみ説明する。なお、下枠（３タッチメントを含む）や下框は、アルミニウムの形材等で構成されていることは、いうまでもない。
【００４２】
図６は、本発明の第２実施形態を示している。この実施形態では、出入口に建具としてドア本体７２と枠体７３とから成る浴室ドア７１が設けられており、同図はドア本体７２を閉塞した状態を示している。
【００４３】
枠体７３の下枠７５は、下枠本体７６と、下枠本体７６の上部に装着した下枠アタッチメント７７とで構成されている。下枠本体７６は、浴室Ａ側から脱衣室Ｂ側の床上まで屈曲して延びるベースプレート７９と、ベースプレート７９の浴室Ａ側上半部に立設したアタッチメント装着部８０と、ベースプレート７９の脱衣室Ｂ側から内側に延びるシール部材接触部８１と、ベースプレート７９の浴室Ａ側に垂設した着座片８２と、ベースプレート７９の浴室Ａ側下半部に設けた中空着座部８３とで、一体に形成されている。
【００４４】
下枠アタッチメント７７は、断面略「Ｅ」字状を有し、横倒しの姿勢で上側から上記のアタッチメント装着部８０に着脱自在に装着されている。この場合、浴室Ａ側に位置する下枠アタッチメント７７と、脱衣室Ｂ側に位置するシール部材接触部８１とは、間隙を存し且つ上面が面一となるように配設されている。
【００４５】
ドア本体７２の下框３２は、最下部に位置する下框中空部５１と、下框中空部５１の上側に連なり換気ガラリを形成したガラリ形成部５２とで、一体に形成されている。下框中空部５１には、その浴室側壁３２ａと脱衣室側壁３２ｂとを連結するように設けたリブ部片８６が形成され、このリブ部片８６により、上側から第１中空部５１ａおよび第２中空部５１ｂに仕切られている。なお、第２中空部５１ｂは下端が下枠７５側に開放されている。
【００４６】
下框中空部５１を画成する浴室側壁３２ａおよび脱衣室側壁３２ｂの下端部には、それぞれ浴室側シール取付部８８および脱衣室側シール取付部８９が一体に形成され、浴室側シール取付部８８には、浴室側シール部材９０（第１シール部材）が、また、脱衣室側シール取付部８９には、脱衣室側シール部材９１（第２シール部材）が装着されている。
【００４７】
すなわち、ドア本体７２を閉塞すると、下枠アタッチメント７７の上面に浴室側シール部材９０が密接すると共に、下枠本体７６のシール部材接触部８１に脱衣室側シール部材９１が密接する。これにより、浴室Ａ側の止水ラインを構成する浴室側シール部材９０と、脱衣室Ｂ側の止水ラインを構成する脱衣室側シール部材９１との間に、止水空間Ｓが構成されている。
【００４８】
一方、下框中空部５１のリブ部片８６には、第２中空部５１ｂと第１中空部５１ａとを連通する連通穴５５が、見付け方向に複数形成されている。また、第１中空部５１ａの上端部に位置して、脱衣室側壁３２ｂには、脱衣室Ｂ（外部）に開放する空気抜き穴５６が複数個形成されている。これにより、上記の止水空間Ｓは、下端を開放した第２中空部５１ｂ、連通穴５５および空気抜き穴５６を介して、脱衣室Ｂに連通している。すなわち、第２中空部５１ｂ、連通穴５５、第１中空部５１ａおよび空気抜き穴５６により、止水空間Ｓと脱衣室Ｂとを連通する本体側エアー流路（エアー抜き手段）が構成されている。
【００４９】
このような構成では、浴室Ａの床排水は、浴室側シール部材９０で一次止水され、これから漏れた床排水（止水空間Ｓ内の床排水）が脱衣室側シール部材９１で二次止水される。すなわち、通常の排水量であれば、浴室Ａ側からの排水を２段階で止水することにより、脱衣室Ｂ側への漏水を防止することができる。
【００５０】
また、排水が浴室側シール部材９０を越えて止水空間Ｓに漏入した場合でも、止水空間Ｓ内の空気は、連通穴５５や空気抜き穴５６等により構成されるエアー流路を通って外部へ逃げるため、止水空間Ｓ内の空気が圧縮されることがない。すなわち、第２実施形態においても、止水空間Ｓ内に、排水が流入した場合、止水空間Ｓと外部とを同圧に保つことができるため、脈動圧に伴う脱衣室Ｂ側への漏水を防ぐことができる。
【００５１】
図７は、本発明の第３実施形態を示している。この実施形態では、出入口に建具として引き戸本体１０２と枠体１０３とから成る片引き戸１０１が設けられている。この場合、見込み方向の脱衣室Ｂ側に引き戸本体１０２が配設され、浴室Ａ側に、開放した引き戸本体１０２が納まる隔壁１０４が配設されている。
【００５２】
下枠１０５は、浴室Ａ側を防水パンＰの段部に着座して脱衣室Ｂ側の床上まで延びる下枠本体１０６と、下枠本体１０６の浴室Ａ側に閉蓋するように装着した第１下枠アタッチメント１０７と、引き戸本体１０２の直下において下枠本体１０６に装着した第２下枠アタッチメント１０８とで構成されており、この場合の第１下枠アタッチメントは、閉塞した引き戸本体１０２に対応する部分にのみ配設されている。
【００５３】
第２下枠アタッチメント１０８には、下ガイドレール１１１が一体に立設されており、またこの下ガイドレール１１１を挟んで両側には、それぞれ浴室側シール取付部１１２および脱衣側シール取付部１１３が、下枠本体１０６に一体に形成されている。そして、浴室側シール取付部１１２には、下框３２の下端部と接触する浴室側シール部材（第１シール部材）１１４が取り付けられ、脱衣側シール取付部１１３には、下框３２の下端部と接触する脱衣室側シール部材（第２シール部材）１１５が取り付けられている。
【００５４】
引き戸本体１０２の下框３２は、最下部に位置する下框中空部５１と、下框中空部５１の上側に連なり換気ガラリを形成したガラリ形成部５２とで、一体に形成されている。下框中空部５１には、浴室側壁３２ａと脱衣室側壁３２ｂとを連結するように設けた上下２つのリブ部片５３，５４が一体に形成され、これら２つのリブ部片５３，５４を隔壁として、下框中空部５１は、上側から第１中空部５１ａ、第２中空部５１ｂおよび第３中空部５１ｃに仕切られている。なお、第３中空部５１ｃは下端が下枠１０５側に開放されている。また、下框中空部５１を画成する浴室側壁３２ａおよび脱衣室側壁３２ｂの下端部には、上記の浴室側シール部材１１４および脱衣室側シール部材１１５がそれぞれ密接している。
【００５５】
すなわち、引き戸本体１０２を閉塞すると、下枠１０５に装着した浴室側シール部材１１４が浴室側壁３２ａの下端部の浴室Ａ側側面に密接すると共に、下枠１０５に装着した脱衣室側シール部材１１５が脱衣室側壁３２ｂの下端部に脱衣室Ｂ側側面に密接する。これにより、浴室Ａ側の止水ラインを構成する浴室側シール部材１１４と、脱衣室Ｂ側の止水ラインを構成する脱衣室側シール部材１１５との間に、止水空間Ｓが構成されている。したがって、例えば、浴室側シール部材１１４の密接不良等により浴室Ａ側の排水が止水空間Ｓに漏水しても、この止水空間Ｓに溜まるようになっている。
【００５６】
一方、上記下框中空部５１の第２リブ部片５４には、第３中空部５１ａと第２中空部５１ｂとを連通する連通穴５５が、見付け方向に複数個形成されている。また、第２中空部５１ｂの上端部に位置して、脱衣室側壁３２ｂには、脱衣室（外部）Ｂに開放する空気抜き穴５６が複数個形成されている。これにより、上記の止水空間Ｓは、下端を開放した第３中空部５１ｃ、連通穴５５および空気抜き穴５６を介して、脱衣室Ｂに連通している。すなわち、第３中空部５１ｃ、連通穴５５、第２中空部５１ｂおよび空気抜き穴５６により、止水空間Ｓと脱衣室Ｂとを連通する扉体側エアー流路（エアー抜き手段）が構成されている。
【００５７】
このような構成では、浴室Ａの床排水は、浴室側シール部材１１４で一次止水され、これから漏れた床排水（止水空間Ｓ内の床排水）が脱衣室側シール部材１１５で二次止水される。また、排水が浴室側シール部材１１４を越えて止水空間Ｓに漏入した場合でも、止水空間Ｓ内の空気は、連通穴５５や空気抜き穴５６等により構成されるエアー流路を通って外部へ逃げるため、止水空間Ｓ内の空気が圧縮されることがない。
【００５８】
図８は、本発明の第４実施形態を示している。この実施形態では、出入口に３枚引き戸１２１が設けられており、３枚引き戸１２１は、３枚の引き戸本体１２２ｌ，１２２ｍ，１２２ｒとこれを開閉自在に支持する枠体１２５とで、一体に形成されている。
【００５９】
下枠１２７は、３枚引き戸１２１を直接支持すると共にその開閉を案内する下枠アタッチメント１２８と、下枠アタッチメント１２８を下側から着脱自在に受ける下枠本体１２９と、防水パンＰの上に着座し、下枠本体１２９を受ける樹脂製の着座受け１３０と、下枠本体１２９を脱衣室Ｂ側の床面に取り付ける床連結部材１３１とで、構成されている。
【００６０】
下枠アタッチメント１２８は、ベースプレート部１３３と、ベースプレート部１３３の上面に交互に立設した３本の下ガイドレール部１３４ｌ，１３４ｍ，１３４ｒおよび３つの浴室側シール取付部（浴室Ａ側から第１シール取付部１３５ｌ、第２シール取付部１３５ｍおよび第３シール取付部１３５ｒ）１３５とで、一体に形成されている。そして、各浴室側シール取付部１３５ｌ，１３５ｍ，１３５ｒには、浴室Ａ側から第１浴室側シール部材１３６ｌ、第２浴室側シール部材１３６ｍおよび第３浴室側シール部材１３６ｒが取り付けられており、それぞれ対応する引き戸本体（浴室Ａ側から第１引き戸本体１２２ｌ、第２引き戸本体１２２ｍおよび第３引き戸本体１２２ｒ）１２２の下框３２下端部に接触している。
【００６１】
下枠本体１２９は、下枠アタッチメント１２８を下側から受けるべく浅溝状に形成され、浴室Ａ側下部には上記の着座受け１３０に上側から係合する係合脚部１３８が、また脱衣室Ｂ側の立上げ部分にはシール取付部１３９が、それぞれ一体に形成されている。このシール取付部１３９には、第３引き戸本体１２２ｒの脱衣室側壁（後述する）３２ｂに接触する脱衣室側シール部材１４０が取り付けられている。そして、上記３つの浴室側シール部材１３６ｌ，１３６ｍ，１３６ｒおよび脱衣室側シール部材１４０により、３枚引き戸１２１を閉塞した状態で排水が脱衣室Ｂ側に流れるのを止水している。
【００６２】
一方、各引き戸本体１２２ｌ，１２２ｍ，１２２ｒの下框３２は、最下部に位置する下框中空部５１と、下框中空部５１の上側に連なり換気ガラリを形成したガラリ形成部５２とで、一体に形成されている。下框中空部５１には、浴室側壁３２ａと脱衣室側壁３２ｂとを連結するように設けた上下２つのリブ部片５３，５４が一体に形成され、これら２つのリブ部片５３，５４を隔壁として、下框中空部５１は、上側から第１中空部５１ａ、第２中空部５１ｂおよび第３中空部５１ｃに仕切られている。なお、第３中空部５１ｃは下端が下枠１２７側に開放されている。また、下框中空部５１を画成する浴室側壁３２ａの下端部には、上記の浴室側シール部材１３６ｌ，１３６ｍ，１３６ｒが密接している。また、第３引き戸本体１２２ｒの脱衣室側壁３２ｂの下端部には、脱衣室側シール部材１４０が密接している。
【００６３】
すなわち、３つの引き戸本体１２２ｌ，１２２ｍ，１２２ｒを閉塞すると、下枠１２７に装着した３つの浴室側シール部材１３６ｌ，１３６ｍ，１３６ｒが各浴室側壁３２ａの下端部の側面に密接し、これにより浴室Ａ側の止水ライン（一次止水ライン）が構成されている。また、第２シール取付部１３５ｍ、第３シール取付部１３５ｒおよび脱衣室側シール部材１４０により、脱衣室Ｂ側の止水ライン（二次止水ライン）が構成されている。そして、これら両止水ラインにより、止水空間Ｓ１、Ｓ２、Ｓ３が構成されている。
【００６４】
この場合、脱衣室Ｂ側の止水ラインを構成する第２シール取付部１３５ｍおよび第３シール取付部１３５ｒは、堰として機能し、排水がこの堰を越えて脱衣室Ｂ側の床まで漏水ことはほとんど稀であるため、脱衣室Ｂ側に面する止水空間Ｓ３のみ密閉空間としている。すなわち、密閉空間としての脱衣室Ｂ側の止水空間Ｓ３は、第３折戸本体１２２ｒの浴室側壁３２ａに密接する第３浴室側シール部材１３６ｒと、脱衣室側壁３２ｂに密接する脱衣室側シール部材１４０とで、構成されている。
【００６５】
一方、各下框中空部５１の第２リブ部片５４には、第３中空部５１ａと第２中空部５１ｂとを連通する連通穴５５が、見付け方向に複数個形成されている。また、第２中空部５１ｂの上端部に位置して、脱衣室側壁３２ｂには、外部に開放する空気抜き穴５６が複数個形成されている。これにより、上記の止水空間Ｓ１、Ｓ２は元より、密閉空間である止水空間Ｓ３は、下端を開放した第３中空部５１ｃ、連通穴５５および空気抜き穴５６を介して、外部に連通している。すなわち、第３中空部５１ｃ、連通穴５５、第２中空部５１ｂおよび空気抜き穴５６により、それぞれ止水空間Ｓ３と外部とを連通する扉体側エアー流路（エアー抜き手段）が構成されている。
【００６６】
このような構成では、特に、脱衣室Ｂに面する止水空間Ｓ３に排水が漏入した場合は、各止水空間Ｓ３内の空気は、連通穴５５や空気抜き穴５６等により構成されるエアー流路を通って外部へ逃げるため、止水空間Ｓ３内の空気が圧縮されることがない。すなわち、止水空間Ｓ３内に、排水が流入しても、止水空間Ｓ３と外部とを同圧に保つことができるため、排水が脱衣室Ｂ側に漏水するのを防止することができる。
【００６７】
図９は、本発明の第５実施形態を示している。この実施形態では、浴室Ａの出入口に設けられた浴室用折戸１５０の下枠１５１の下部に、止水空間Ｓに漏入した排水を、排水トラップ（図示省略）側に導く排水管Ｔが接続されている。なお、折戸本体３（特に下框３２）の構成は、第１実施形態と同様であるため、ここでは説明を省略する。
【００６８】
下枠１５１は、下枠アタッチメント１５２と、下枠アタッチメント１５２を下側から受ける下枠本体１５３と、下枠本体１５３と防水パンＰとの間に掛け渡したブリッジ片１５４と、下枠本体１５３に形成した排水開口１５５に臨むように設置した整流部材１５６とで構成されている。排水開口１５５は、下枠本体１５３の見付け方向中間位置に形成されており（左右２個所としてもよい）、排水開口１５５には、排水トラップに連なる排水管Ｔが接続されている。すなわち、排水開口１５５の直下に排水管Ｔの流入口Ｔａが開放し、この流入口Ｔａおよび排水開口１５５の上側には、間隙を存して上記の整流部材１５６が配設されている。
【００６９】
下枠アタッチメント１５２は、見込み方向の両端部で下枠本体１５３に着脱自在に装着されており、折戸１５０の開閉を案内する下ガイドレール１６１と、下ガイドレール１６１の中間位置から浴室Ａ側に延びる浴室側延在部１６２と、下ガイドレール１６１の基端部から脱衣室Ｂ側に屈曲して延びる脱衣室側延在部１６３とで、一体に形成されている。下ガイドレール１６１の中間下部には、下枠アタッチメント１５２の上側空間（後述する止水空間Ｓ）と下側空間を連通する連通穴１６４が形成されており、下ガイドレール１６１を越えて流入した排水をこの連通穴１６４を介して下枠本体１５３側に流下させるようになっている。また、下ガイドレール１６１には、下框３２の浴室側壁３２ａ下端部に取り付けられた浴室側シール部材４５の先端部が密接しており、これにより浴室Ａ側の止水ライン（第１止水ライン）が構成されている。
【００７０】
下枠本体１５３は、主体を為す断面略「Ｕ」字状のアタッチメント受け部１６６と、アタッチメント受け部１６６の脱衣室Ｂ側に連なる下枠中空部１６７と、下枠中空部１６７の上端から脱衣室Ｂ側に延びる脱衣室側露出部１６８と、下枠中空部１６７の浴室Ａ側上部に形成した脱衣室側シール取付部１６９とで、一体に形成されている。アタッチメント受け部１６６の上部には、下枠アタッチメント１５２およびブリッジ片１５４が掛け止めされる一方、底部には上記の排水開口１５５が形成されている。また、脱衣室側シール取付部１６９には、脱衣室側シール部材１６５が取り付けられており、下框３２の脱衣室側壁３２ｂの下端部に密接している。そして、これにより脱衣室Ｂ側の止水ライン（第２止水ライン）が構成されている。
【００７１】
一方、下枠中空部１６７の浴室側壁部には、排水管Ｔ内の空気を逃がすための空気口１７０が形成され、空気口１７０は、後述する整流部材１５６のスリット開口１７１に対峙するように配設されている。また、下枠中空部１６７の上部は凹状に窪んだ溝条部１７２となっており、この溝条部１７２の溝底には、上記の排水開口１５５に臨む位置（見付け方向中心部）をはじめ、見付け方向に複数個所に開放口１７３が形成されている。これにより、満水状態の排水管Ｔから突き上げてくる空気を、整流部材１５６のスリット開口１７１、空気口１７０および開放口１７３を介して、脱衣室（外部）Ｂに逃がし得るようになっている。
【００７２】
整流部材１５６は、樹脂製のいわゆるピースものであり、図９および図１０に示すように、下枠アタッチメント１５２の直下においてアタッチメント受け部１６６の底部に着座している。整流部材１５６は、下枠アタッチメント１５２の脱衣室側延在部１６３の直下に位置する下面開放ボックス部１７５と、下面開放ボックス部１７５の上部から浴室Ａ側に延設した平板部１７６とで、一体に形成されている。
【００７３】
平板部１７６の浴室Ａ側および下面開放ボックス部１７５の脱衣室Ｂ側下部は、それぞれ下枠本体１５３と接する部分にパッキン１７７，１７８が取り付けられ、排水管Ｔに導かれる排水が、平板部１７６の下側からのみ流下するように排水の流れを規制すると共に、整流部材１５６自体を下枠本体１５３に不動に固定している。また、下面開放ボックス部１７５の脱衣室壁部１７５ａの上部には、上記の空気口１７０に連なるスリット開口１７１が形成され、このスリット開口１７１を介して排水管Ｔと脱衣室Ｂとが連通するようになっている。
【００７４】
このような構成では、下ガイドレール１６１に密接する浴室側シール部材４５と、下框３２に密接する脱衣室側シール部材１６５とにより、止水空間Ｓが構成されている。また、止水空間Ｓの下側には、止水空間Ｓ内の空気が自由に流通する、下枠中空部１６７と、下枠アタッチメント１５２および下枠本体１５３間に構成した中空部分１７９とが構成されている。すなわち、連通穴１６４、前記の中空部分１７９、スリット開口１７１、空気口１７０、下枠中空部１６７および開放口１７３により、下枠側エアー流路が構成されている。
【００７５】
浴室側シール部材４５からこの止水空間Ｓに漏入した排水は、連通穴１６４から下枠本体１５３上に流下する。下枠本体１５３上に流下した排水は、下枠本体１５３の底部を見付け方向に流れて整流部材１５６の部分に達し、整流部材１５６の平板部１７６の下側をくぐって、排水開口１５５および流入口Ｔａから排水管Ｔに流下する。すなわち、整流部材１５６の位置まで達した排水は、整流部材１５６の浴室Ａ側半部の位置から排水管Ｔに導かれる。
【００７６】
また、止水空間Ｓに排水が漏入するときは、浴室Ａ内に多量の排水が発生しており、上記の排水が排水管Ｔに流下した直後に、排水管Ｔ側が満水となって排水の逆流が発生することがある。かかる場合には、先ず排水の逆流に伴って排水管Ｔ内の空気が逆流してくるが、この空気は、整流部材１５６のスリット開口１７１から下枠１５１の空気口１７０に流れ、下枠中空部１６７を通過して開放口１７３から脱衣室Ｂに逃げる。すなわち、整流部材１５６の位置まで突き上げられた空気は、整流部材１５６の脱衣室Ｂ側上半部の位置（下面開放ボックス部１７５）から脱衣室Ｂ内に導かれる。また、続く排水の逆流は、整流部材１５６に下側から突き当たって、その勢いが押えられるようになっている。
【００７７】
したがって、止水空間Ｓに漏水した排水を排水管Ｔに円滑に流下させることができる。また、排水管Ｔからの空気の逆流により、止水空間Ｓ内の空気が圧縮されることがなく、これに基づく脱衣室Ｂ側への漏水を、有効に防止することができる。さらに、排水管Ｔから逆流した排水を整流部材１５６で抑え且つ、見付け方向に水平に導くことができるため、脱衣室Ｂ側への排水の漏れを有効に防止することができる。
【００７８】
【発明の効果】
以上のように本発明の浴室建具のシール構造およびこれを備えた建具によれば、止水空間内に排水が流入しても、エアー流路により常に止水空間と外部との空気圧を同一に保つことができるため、脈動圧に伴う脱衣室側への漏水を防ぐことができる。したがって、枠体と扉体の下枠との間を確実に止水することができ、建具の信頼性を向上させることができる。
【図面の簡単な説明】
【図１】本発明の第１実施形態に係る浴室建具のシール構造を適用した浴室出入口廻りの縦断面図である。
【図２】第１実施形態に係る浴室建具のシール構造を適用した浴室出入口廻りの横断面図である。
【図３】第１実施形態に係る浴室建具のシール構造を適用した浴室出入口廻りの拡大縦断面図である。
【図４】第１実施形態の第１変形例を示す浴室出入口廻りの拡大縦断面図である。
【図５】第１実施形態の第２変形例を示す浴室出入口廻りの拡大縦断面図である。
【図６】第２実施形態に係る浴室建具のシール構造を適用した浴室出入口廻りの拡大縦断面図である。
【図７】第３実施形態に係る浴室建具のシール構造を適用した浴室出入口廻りの拡大縦断面図である。
【図８】第４実施形態に係る浴室建具のシール構造を適用した浴室出入口廻りの拡大縦断面図である。
【図９】第５実施形態に係る浴室建具のシール構造を適用した浴室出入口廻りの拡大縦断面図である。
【図１０】第５実施形態に係る整流部材廻りの拡大平面図である。
【符号の説明】
１  浴室用折戸、２  枠体、３  扉体、１２  下枠、２３  脱衣室側シール取付部、２４  脱衣室側シール部材、３２  下框、３２ａ  浴室側壁、３２ｂ  脱衣室側壁、４５  浴室側シール部材、５１  下框中空部、５２  ガラリ形成部、５２ａ  換気通路、５３  第１リブ部片、５４  第２リブ部片、５５  連通穴、５６  空気抜き穴、６１浴室側シール取付部、Ａ  浴室、Ｂ  脱衣室、Ｓ  止水空間、Ｔ  排水管、Ｔａ  流入口、
【図１】
0003634280.tif 000002
【図２】
0003634280.tif 000003
【図３】
0003634280.tif 000004
【図４】
0003634280.tif 000005
【図５】
0003634280.tif 000006
【図６】
0003634280.tif 000007
【図７】
0003634280.tif 000008
【図８】
0003634280.tif 000009
【図９】
0003634280.tif 000010
【図１０】
0003634280.tif 000011